(57)【要約】【課題】  原稿台の部分を平面薄型化することにより、頁数の多い書籍等をスキャンする場合でも書籍の綴じ部分の歪みを小さくすることが可能な画像読取装置を提供する。【解決手段】  原稿台１３と、光源１１と受光素子１０とレンズアレイ９を備えて、原稿台１３に沿って移動するキャリッジ１と、該キャリッジ１の両側を案内支持するリニアガイド２と、キャリッジ１を駆動させるためのモータ５と、モータ５を制御する制御回路４と、キャリッジ１と制御回路４間に接続された制御信号ケーブル８と、を備え、キャリッジ１を動かしつつ原稿を読み取る画像読取装置において、原稿台１３の一端にモータ５、制御回路４を収納する筐体３を設けてあり、モータ５は該モータが駆動することにより回転する第１ベルト駆動部６Ａを設けてあり、原稿台１３の他端に第１ベルト駆動部６Ａの回転面との間に駆動ベルト７を張設して接続された第２ベルト駆動部６Ｂを設けてある。【選択図】    図１
2006157234.tif 000002
【特許請求の範囲】
【請求項１】
原稿台と、
原稿を照明する光源と、該光源からの反射光を受光する受光素子と、該光源からの反射光を該受光素子に結像させるレンズアレイとから構成されると共に、前記原稿台に沿って移動するキャリッジと、
前記キャリッジの長手方向と直交する方向に向かって設けられると共に、前記原稿台の前後に移動できるように該キャリッジの両側を案内支持するリニアガイドと、
前記キャリッジを駆動させるためのモータと、
前記モータを制御する制御回路と、
前記キャリッジと前記制御回路との間に接続された制御信号ケーブルと、
を備え、前記キャリッジを動かしつつ原稿を読み取る画像読取装置において、
前記原稿台の一端には、前記モータ、前記制御回路を収納する筐体を設けてあり、
前記モータは、該モータが駆動することにより回転する第１ベルト駆動部を設けてあり、
前記原稿台の他端には、前記第１ベルト駆動部の回転面との間に駆動ベルトを張設して接続された第２ベルト駆動部を設けてあり、
前記駆動ベルトは、前記キャリッジの一部に連結されていることを特徴とする画像読取装置。
【請求項２】
前記原稿台は、前記キャリッジおよび前記リニアガイドを間に挟むように２つ対向して設けると共に、前記対向する２つの原稿台に配置される原稿の面を一度に読み取ることができるよう、前記光源および前記受光素子並びに前記レンズアレイを、前記キャリッジの上下両面にそれぞれ取り付けたことを特徴とする請求項１記載の画像読取り装置。
【発明の詳細な説明】
【技術分野】
【０００１】
本発明は、一般家庭、オフィス用のコピー機、ファクシミリ、パソコン等の端末に接続されて使用されるようなイメージスキャナ、特に、読み取り部分に接触している原稿を、キャリッジを動かしつつ読み取る画像読取装置に関する。
【背景技術】
【０００２】
従来のイメージスキャナ等の画像読取装置は、図６に示すようになっている。
図６は従来の画像読取装置の全体斜視図である。
図６において、２１は本体フレーム、２２は原稿台ガラス、２３は走査体であり、走査体には照射用光源と受光素子、反射光を受光素子に結像させるレンズアレイ３Ｃ等が搭載されている。２４は本体フレームに両端を固定されたガイドシャフト、２５は走査体がガイドシャフト４と摺動可能に嵌合するように走査体に固定されたスライダ、２６は本体フレームに両端を固定されたガイド補助シャフト、２７は走査体がガイド補助シャフト６と摺動可能に嵌合するように走査体に固定された補助スライダである。２８はコイルスプリング、２９はワイヤーで、一端が本体１フレームに固定されてもう一端が前記引っ張りコイルスプリング２８に取り付けられている。３０は電気制御回路で本体フレーム２１の底面に取り付けられており、図示しないモータ及び走査体２３を駆動或いは制御する。３１はフレキシブルプリント基板であり、電気制御回路３０に一端が接続され、他端が前記走査体２３、特に照射用光源と受光素子と前記モータのコイル端子に接続されている。
このような構成において、画像読取装置は本体フレーム１と原稿台２が一体となっており、その原稿台２の内部にイメージを読み込むキャリッジ、モータ、制御回路を持ち、前記原稿台の上に原稿を配置して、イメージを読み取るキャリッジ分が移動するものが大半である（例えば、特許文献１参照）。
【特許文献１】特開２０００−２３２５６３号公報（明細書第３頁―４頁、第１図）
【発明の開示】
【発明が解決しようとする課題】
【０００３】
しかしながら、従来技術の画像読取装置は原稿台内にモータ、制御回路を取り付けており、原稿台の大きさがキャリッジの移動範囲以上の大きさになっているため、原稿台のサイズは一定の大きさ以下にはなりにくく、また、原稿台の厚み部分のスペースも大きいため、ページ数の多い書籍などを広げてスキャンする場合、書籍の綴じ部分の歪みが大きくなるという問題があった。そのため、書籍の綴じ部分の歪みを小さくするには、原稿台の厚み部分の平面薄型化が望まれていた。
【０００４】
本発明は、この問題点に鑑みてなされたものであり、原稿台の部分を平面薄型化することにより、ページ数の多い書籍などをスキャンする場合でも書籍の綴じ部分の歪みを小さくすることができる、画像読取装置を提供することを目的とする。
【課題を解決するための手段】
【０００５】
本発明は上記課題を達成するために、原稿台と、原稿を照明する光源と、該光源からの反射光を受光する受光素子と、該光源からの反射光を該受光素子に結像させるレンズアレイとから構成されると共に、原稿台に沿って移動するキャリッジと、前記キャリッジの長手方向と直交する方向に向かって設けられると共に、前記原稿台の前後に移動できるように該キャリッジの両側を案内支持するリニアガイドと、前記キャリッジを駆動させるためのモータと、前記モータを制御する制御回路と、前記キャリッジと前記制御回路との間に接続された制御信号ケーブルと、を備え、前記キャリッジを動かしつつ原稿を読み取る画像読取装置において、前記原稿台の一端には、前記モータ、前記制御回路を収納する筐体を設けてあり、前記モータは、該モータが駆動することにより回転する第１ベルト駆動部を設けてあり、前記原稿台の他端には、前記第１ベルト駆動部の回転面との間に駆動ベルトを張設して接続された第２ベルト駆動部を設けてあり、前記駆動ベルトは前記キャリッジの一部に連結されていることを特徴としている。
【０００６】
請求項２の発明は、請求項１記載の画像読取り装置において、前記原稿台は前記キャリッジおよび前記リニアガイドを間に挟むように２つ対向して設けると共に。前記対向する２つの原稿台に配置される原稿の面を一度に読み取ることができるよう、前記光源および前記受光素子並びに前記レンズアレイを、前記キャリッジの上下両面にそれぞれ取り付けたことを特徴としている。
【発明の効果】
【０００７】
請求項１に記載の画像読取装置はキャリッジを収めていた原稿台の平面薄型化が可能となり、厚みのある書籍などはページ間に挟み込んで使用することで書籍中央（綴じ部分）の歪みの小さい読み込み結果が得られる画像読取装置を提供することができる。
【０００８】
また、請求項２に記載の画像読取装置は、キャリッジの上下に光源、レンズアレイ、受光素子を設けたため、画像読取装置を挟み込んだ書籍の両面を一度に読み込むことができる画像読取装置を提供できる。
【発明を実施するための最良の形態】
【０００９】
以下、本発明の実施例を図に基づいて詳細に説明する。
【実施例１】
【００１０】
図１は本発明の第１実施例を示す画像読取装置の全体斜視図、図２は図１の主要構成部分を示す平面図、図３は図１における主要構成部分の一部を破断した側断面図、図４は図２のＡ−Ａ線に沿うキャリッジの側断面図である。
図１〜図４において、１はキャリッジ、２はリニアガイド、３は筐体、４は制御回路、５はモータ、６Ａおよび６Ｂはベルト駆動部、７は駆動ベルト、８は制御信号ケーブル、９はレンズアレイ、１０は受光素子、１１は光源、１３は原稿台である。
【００１１】
本発明の特徴は以下のとおりである。
すなわち、原稿台１３と、原稿を照明する光源１１と、該光源１１からの反射光を受光する受光素子１０と、該光源１１からの反射光を該受光素子１０に結像させるレンズアレイ９とから構成されると共に、原稿台１３に沿って移動するキャリッジ１と、キャリッジ１の長手方向と直交する方向に向かって設けられると共に、原稿台１３の前後に移動できるように該キャリッジ１の両側を案内支持するリニアガイド２と、キャリッジ１を駆動させるためのモータ５と、モータ５を制御する制御回路４と、キャリッジ１と制御回路４との間に接続された制御信号ケーブル８と、を備え、キャリッジ１を動かしつつ原稿を読み取る画像読取装置において、原稿台１３の一端に、モータ５、制御回路４を収納する筐体３を設けてあり、モータ５は、該モータが駆動することにより回転する第１ベルト駆動部６Ａを設けてあり、原稿台１３の他端に、第１ベルト駆動部６Ａの回転面との間に駆動ベルト７を張設して接続された第２ベルト駆動部６Ｂを設けてあり、駆動ベルト７はキャリッジ１の一部に連結されている点である。
また、原稿台１３はキャリッジ１およびリニアガイド２を間に挟むように２つ対向して設けると共に。該対向する２つの原稿台１３に配置される原稿の面を一度に読み取ることができるよう、光源１１および受光素子１０並びにレンズアレイ９を、キャリッジ１の上下両面にそれぞれ取り付けるようになっている。
【００１２】
次に、図３を用いて画像読取装置の動作について説明する。
モータ５を駆動すると、その駆動力はベルト駆動部６Ａの回転力となり、ベルト駆動部６Ａの回転力が駆動ベルト７を介してベルト駆動部６Ｂに伝達される。キャリッジ１は駆動ベルト７の駆動にしたがって、リニアガイド２に沿って原稿台１３と平行に前後方向に移動する。
【００１３】
次に、画像読取装置の使用方法について説明する。
図５は本発明の画像読取装置の使用状態を示す説明図であり、本装置を書籍に挟んだ状態である。
図５において、１２は書籍などの原稿であり、画像読取装置はリニアガイド２とキャリッジ１と原稿台１３よりなる構成部分を平面薄型とすることにより書籍１２に挟み込んで使用することが可能である。書籍１２に挟み込んで使用することで書籍１２の綴じ部分の歪みの小さい読み込み結果を得ることが可能である。
【００１４】
したがって、本発明の実施例に係る画像読取装置は、上記構成のごとく、リニアガイド２とキャリッジ１を内部に備えた原稿台１３の他端に制御回路４とモータ５を収納した筐体３を配置するようにしたので、従来、制御回路とモータを収めていた原稿台の空間が不要となり、原稿台自体のサイズを小さくした平面薄型化が可能となる。
また、原稿台部分の平面薄型化により厚みのある書籍などはページ間に挟み込んで使用することで原稿中央（綴じ部分）の歪みの小さい読み込み結果が得られる。
さらにレンズアレイ９、受光素子１０、光源１１をキャリッジ１の上下面に取り付けたので、キャリッジ１の上下面に対向するように挟み込んだ原稿の両面を一度に読取ることが可能となる。
【産業上の利用可能性】
【００１５】
本発明の画像読取装置は、小型化が要求され、歪みの少ない状態で原稿中央（綴じ部分）のスキャンが実施できるコピー機、ファクシミリ、パソコン用スキャナなどに適用できる。
実施例
【図面の簡単な説明】
【００１６】
【図１】本発明の第１実施例を示す画像読取装置の全体斜視図
【図２】図１の主要構成部分を示す平面図
【図３】図１における主要構成部分の一部を破断した側断面図
【図４】図２のＡ−Ａ線に沿うキャリッジの側断面図
【図５】本発明の画像読取装置の使用状態を示す説明図
【図６】従来の画像読取装置の全体斜視図
【符号の説明】
【００１７】
１  キャリッジ
２  リニアガイド
３  筐体
４  制御回路
５  モータ
６Ａ、６Ｂ  ベルト駆動部
７  駆動ベルト
８  制御信号ケーブル、
９  レンズアレイ
１０  受光素子
１１  光源
１２  原稿（書籍）
１３  原稿台
【図１】
2006157234.tif 000003
【図２】
2006157234.tif 000004
【図３】
2006157234.tif 000005
【図４】
2006157234.tif 000006
【図５】
2006157234.tif 000007
【図６】
2006157234.tif 000008